(57)【要約】  タッチセンシング表面を有する電子装置のための機械式アクチュエータ装置が、第１の磁気部材を収容するための基部を含む機械式アクチュエータと、第１の磁気部材に連結するための第２の磁気部材を含む取付部材とを備え、及び、この取付部材は、タッチセンシング表面上に直接的に取り付けられ且つタッチセンシング表面に連結するように構成されている表面を含む。この機械式アクチュエータは、さらに、タッチセンシング表面に接触するための導電性部材と、タッチセンシング表面から所定の距離間隔に機械式アクチュエータを保つための非導電性部材とを含む。この機械式アクチュエータは、ジョイスティック、ノブ、十字キー、スライダ、又は、類似の入力装置であることが可能である。
2016509323.tif 000002
【特許請求の範囲】
【請求項１】
タッチセンシング表面を有する電子装置のための機械式アクチュエータ装置であって、
ａ）第１の磁気部材を収容するための基部を含む機械式アクチュエータと、
ｂ）前記第１の磁気部材に連結するための第２の磁気部材を含む取付部材と、
を備え、
ｃ）前記取付部材は、前記タッチセンシング表面上に直接的に取り付けられ且つ前記タッチセンシング表面に連結するように構成されている表面を含み、
ｄ）前記機械式アクチュエータは、前記タッチセンシング表面に接触するための導電性部材を含み、
ｅ）前記機械式アクチュエータは、前記タッチセンシング表面から所定の距離間隔に前記アクチュエータを保つための非導電性部材を含む、
機械式アクチュエータ装置。
【請求項２】
ａ）前記第２の磁気部材は前記取付部材に対して動かないように配置されている、
請求項１に記載のアクチュエータ装置。
【請求項３】
ａ）前記取付部材はフィルムを備えており、前記フィルムは、前記フィルム内に埋め込まれている上記第２の磁気部材を有する、
請求項１に記載のアクチュエータ装置。
【請求項４】
ａ）前記取付部材は、前記第２の磁気部材を互いの間に挟持する２つのフィルムを備える、
請求項１に記載のアクチュエータ装置。
【請求項５】
ａ）前記取付部材は前記タッチセンシング表面上に動かないように取り付けられている、
請求項２に記載のアクチュエータ装置。
【請求項６】
ａ）前記取付部材の表面が、一時的な又は恒久的な接着剤を含む、
請求項５に記載のアクチュエータ装置。
【請求項７】
ａ）前記取付部材は、前記タッチセンシング表面に対してサイズが概ね一致する透明プラスチックフィルムで作られている、
請求項６に記載のアクチュエータ装置。
【請求項８】
ａ）前記機械式アクチュエータはジョイスティックを備える、
請求項７に記載のアクチュエータ装置。
【請求項９】
ａ）前記取付部材はフィルムを備えており、前記フィルムは、前記フィルムに取り付けられている前記第２の磁気部材を有する、
請求項１に記載のアクチュエータ装置。
【請求項１０】
ａ）前記第２の磁気部材は磁気メッシュを備える、
請求項９に記載のアクチュエータ装置。
【請求項１１】
ａ）前記第２の磁気部材は磁気メッシュを備える、
請求項４に記載のアクチュエータ装置。
【請求項１２】
タッチセンシング表面を有する電子装置のためのジョイスティック装置であって、
ａ）ハンドル部分と、協働する基部部分とを含むジョイスティック、
を備え、
ｂ）前記基部部分は直立スリーブを含み、
ｃ）前記ハンドル部分はスカート部分を含み、前記スカート部分は、第１の磁気部材を前記スカート部分間に固定するように前記スリーブに連結するためのものであり、
前記ジョイスティック装置はさらに、
ｄ）前記第１の磁気部材に連結するための第２の磁気部材を含む取付部材、
を備え、
ｅ）前記取付部材は、前記タッチセンシング表面上に直接的に取り付けられ且つ前記タッチセンシング表面に連結するように構成されている表面を含み、
ｆ）前記基部部分は、前記タッチセンシング表面に接触するための導電性部材を含む、
ジョイスティック装置。
【請求項１３】
ａ）前記第２の磁気部材は前記取付部材に対して動かないように配置されている、
請求項１２に記載のジョイスティック装置。
【請求項１４】
ａ）前記取付部材はフィルムを備えており、前記フィルムは、前記フィルム内に埋め込まれた前記第２の磁気部材を有する、
請求項１２に記載のジョイスティック装置。
【請求項１５】
ａ）前記取付部材は、前記第２の磁気部材を互いの間に挟持する２つのフィルムを備える、
請求項１２に記載のジョイスティック装置。
【請求項１６】
ａ）前記取付部材は前記タッチセンシング表面上に動かないように取り付けられている、
請求項１３に記載のジョイスティック装置。
【請求項１７】
ａ）前記取付部材の表面は、静電特性、静磁気特性又は電磁気特性を含む、
請求項１６に記載のジョイスティック装置。
【請求項１８】
ａ）前記取付部材の表面は、一時的又は恒久的な接着剤を含む、
請求項１６に記載のジョイスティック装置。
【請求項１９】
ａ）前記直立スリーブは、前記第１の磁気部材を保持するための凹みをその中に形成する、
請求項１２に記載のジョイスティック装置。
【請求項２０】
ａ）前記スカート部分は、前記第１の磁気部材を保持するための凹みをその中に形成する、
請求項１２に記載のジョイスティック装置。
【請求項２１】
ａ）前記取付部材はフィルムを備えており、前記フィルムは、前記フィルムに取り付けられている前記第２の磁気部材を有する、
請求項１２に記載のジョイスティック装置。
【請求項２２】
ａ）前記第２の磁気部材は磁気メッシュを備える、
請求項２１に記載のジョイスティック装置。
【請求項２３】
ａ）前記第２の磁気部材は磁気メッシュを備える、
請求項１５に記載のジョイスティック装置。
【請求項２４】
タッチセンシング表面を有する電子装置のための機械式アクチュエータ装置であって、
ａ）磁気部材を収容するための基部を含む機械式アクチュエータと、
ｂ）前記第１の磁気部材に連結するための磁気メッシュを含む取付部材と、
を備え、
ｃ）前記取付部材は、前記タッチセンシング表面上に直接的に取り付けられ且つ前記タッチセンシング表面に連結するように構成されている表面を含み、
ｄ）前記機械式アクチュエータは、前記タッチセンシング表面に接触するための導電性部材を含み、
ｅ）前記機械式アクチュエータは、前記タッチセンシング表面から所定の距離間隔に前記アクチュエータを保つための非導電性部材を含む、
機械式アクチュエータ装置。
【請求項２５】
ａ）前記取付部材はフィルムを備えており、前記フィルムは、前記フィルムに取り付けられている前記第２の磁気部材を有する、
請求項２４に記載のアクチュエータ装置。
【請求項２６】
ａ）前記取付部材は、前記磁気メッシュを互いの間に挟持する２つのフィルムを備える、
請求項２４に記載のアクチュエータ装置。
【請求項２７】
ａ）前記取付部材の表面は、一時的又は恒久的な接着剤を含む、
請求項２４に記載のアクチュエータ装置。
【請求項２８】
ａ）前記フィルムのサイズは前記タッチセンシング表面のサイズに実質的に一致する、
請求項２５に記載のアクチュエータ装置。
【請求項２９】
ａ）前記磁気メッシュのサイズは前記フィルムのサイズに一致する、
請求項２８に記載のアクチュエータ装置。
【請求項３０】
ａ）前記機械式アクチュエータはジョイスティックを備える、
請求項２８に記載のアクチュエータ装置。
【請求項３１】
機械式アクチュエータ装置をタッチセンシング表面に取り付ける方法であって、
ａ）機械式アクチュエータ装置であって、
ｉ）第１の磁気部材を含む機械式アクチュエータと、
ｉｉ）前記第１の磁気部材に連結するための第２の磁気部材を含む取付部材と、
を備え、
ｉｉｉ）前記取付部材は、前記タッチセンシング表面上に直接的に取り付けられ且つ前記タッチセンシング表面に連結するように構成されている表面を含み、
ｉｖ）前記機械式アクチュエータは、前記タッチセンシング表面に接触するための導電性部材を含み、
ｖ）前記機械式アクチュエータは、前記タッチセンシング表面から所定の距離間隔に前記アクチュエータを保つための非導電性部材を含む、
機械式アクチュエータ装置を提供する段階と、
ｂ）前記タッチセンシング表面上に動かないように且つ連結した形で前記取付部材を取り付ける段階と、
ｃ）前記第１の磁気部材を前記第２の磁気部材に連結するように前記機械式アクチュエータを操作する段階と、
を含む、
方法。
【請求項３２】
前記機械式アクチュエータはジョイスティックアクチュエータを備える、
請求項３１に記載の方法。
【請求項３３】
前記ジョイスティックアクチュエータは、
ｉ）ハンドル部分と、協働する基部部分とを含むジョイスティック、
を備え、
ｉｉ）前記基部部分は直立スリーブを含み、
ｉｉｉ）前記ハンドル部分は、前記第１の磁気部材を間に固定するように前記スリーブに連結するためのスカート部分を含み、
ｉｖ）前記基部部分は前記タッチセンシング表面に接触するための導電性部材を含む、
請求項３２に記載の方法。
【請求項３４】
前記基部部分は、前記第１の磁気部材を保持するための凹みをその中に形成する、
請求項３３に記載の方法。
【請求項３５】
前記スカート部分は、前記第１の磁気部材を保持するための凹みをその中に形成する、
請求項３３に記載の方法。
【請求項３６】
前記第２の磁気部材は磁気メッシュを備える、
請求項３１に記載の方法。
【請求項３７】
ａ）前記電子装置は、テレビ、ビデオゲームモニタ、ビデオゲームコンソール、ゲーム装置、デスクトップコンピュータ、ラップトップコンピュータ、タブレット、パーソナルデジタルアシスタント（ＰＤＡ）、ファブレット（ｆａｂｌｅｔ）、ファブレット（ｐｈａｂｌｅｔ）、携帯電話、移動電話、スマートフォン、又はこれらの組合せを含む、
請求項１に記載のアクチュエータ装置。
【請求項３８】
ａ）前記電子装置は、テレビ、ビデオゲームモニタ、ビデオゲームコンソール、ゲーム装置、デスクトップコンピュータ、ラップトップコンピュータ、タブレット、パーソナルデジタルアシスタント（ＰＤＡ）、ファブレット（ｆａｂｌｅｔ）、ファブレット（ｐｈａｂｌｅｔ）、携帯電話、移動電話、スマートフォン、又はこれらの組合せを含む、
請求項１２に記載のアクチュエータ装置。
【発明の詳細な説明】
【技術分野】
【０００１】
本発明は、概して、コンピュータ又は電子入力装置に関し、さらに具体的には、タッチセンシング表面を有する電子装置のための機械式アクチュエータ装置に関する。
【背景技術】
【０００２】
（関連出願に対する相互参照）
本出願は、本明細書にその全体が参照として援用されている、２０１３年３月８日付で出願された先行の米国特許出願第１３／７８９，７８７号明細書に基づく優先権を主張する。
【０００３】
スマートフォン、タブレット型コンピュータ等のような手持ち式電子装置の最近の急激な普及が、最先端のタッチセンシングディスプレイ（ｔｏｕｃｈ  ｓｅｎｓｉｎｇ  ｄｉｓｐｌａｙ）、タッチスクリーン等をもたらしている。旧式のキーボードを含む、大きくて扱いにくい携帯電話又は移動電話と大型ラップトップコンピュータの時代は既に過ぎ去っている。最新の携帯電話は、例えば、単なる通信装置であること以外の多くの機能を果たす能力を有する「スマートフォン」として知られている。さらに明確に述べると、こうしたスマートフォンは、計算装置、ＧＰＳ（全地球測位システム）装置、金融取引装置として機能し、及び、以前には複数の個別的な装置によって行われた様々な他の機能を果たす。旧式のキーパッド又はキーボードは、現在では、タッチスクリーン又はタッチセンシングディスプレイによって置き換えられており、こうしたタッチスクリーン又はタッチセンシングディスプレイは典型的にはタッチセンシング表面を含む。タッチスクリーン又はタッチセンシングディスプレイは、一般的に、旧式の物理的キーボードの代わりに、仮想キーボード即ちデジタルオンスクリーンキーボード（ｄｉｇｉｔａｌ  ｏｎｓｃｒｅｅｎ  ｋｅｙｂｏａｒｄ）を含む。
【０００４】
タッチスクリーンは、１つ又は複数の指、スタイラス、トレイサ、又は、何らかの他の機械式アクチュエータ、又は、特殊なコーティングが施された手袋のような他の物体で、スクリーンに接触することによって、単純なジェスチャ又はマルチタッチ方式ジェスチャによって、ユーザが操作することが可能である電子視覚表示ディスプレイである。様々な接触検出方法を使用する様々なタッチスクリーン技術が現在では利用可能である。具体例が、抵抗式、弾性表面波式、容量式、赤外線グリッド、赤外線アクリル放射（ｉｎｆｒａｒｅｄ  ａｃｒｙｌｉｃ  ｐｒｏｊｅｃｔｉｏｎ）、光学イメージング、ディスパーシブシグナルテクノロジ（ｄｉｓｐｅｒｓｉｖｅ  ｓｉｇｎａｌ  ｔｅｃｈｎｏｌｏｇｙ）、音響パルス認識（ａｃｏｕｓｔｉｃ  ｐｕｌｓｅ  ｒｅｃｏｇｎｉｔｉｏｎ）等を含む。典型的な用途では、このシステムは、画面上に表示されたコントロールと接触場所とに基づいて、意図された命令を判定する。「Ｔｏｕｃｈｓｃｒｅｅｎ」、ウィキペディア、フリー百科事典、ｈｔｔｐ：／／ｅｎ．ｗｉｋｉｐｅｄｉａ．ｏｒｇ／ｗｉｋｉ／Ｔｏｕｃｈｓｃｒｅｅｎ。２０１３年２月２１日付のアクセス、９ｐｐ。
【０００５】
スマートフォン、タブレット型コンピュータ等は、さらに、現在では、ジョイスティック、舵取りハンドル、ゲームコントローラ、及び、他の類似の入力装置のような、様々なアクセサリを使用して従来において家庭用コンピュータ上で遊ばれてきた電子ゲームを遊ぶために使用されている。この点で、タブレット又はスマートフォンが、オンスクリーンジョイスティックのような様々な仮想入力装置を含むことがあるが、こうした装置は、例えば物理的ジョイスティックを操作することの完全な体験又は感覚を欠いている。したがって、ユーザ、特に、電子ゲーム愛好者は、タブレット型コンピュータ、スマートフォン等のような電子装置に関連して、ジョイスティックのような物理的な機械式アクチュエータの使用の真価を理解している。
【０００６】
様々な電子装置、タッチ感応スクリーン及びディスプレイ、及び、入力装置が、特許文献１と、特許文献２と、特許文献３と、特許文献４と、特許文献５と、特許文献６と、特許文献７と、特許文献８と、特許文献９と、特許文献１０と、特許文献１１と、特許文献１２と、特許文献１３と、特許文献１４と、特許文献１５と、特許文献１６と、特許文献１７と、特許文献１８と、特許文献１９と、特許文献２０と、特許文献２１と、特許文献２２と、特許文献２３と、特許文献２４と、特許文献２５とに開示されている。
【先行技術文献】
【特許文献】
【０００７】
【特許文献１】米国特許第４，６００，８０７号明細書
【特許文献２】米国特許第６，６０６，０８１（Ｂ１）号明細書
【特許文献３】米国特許第６，９０３，６６２（Ｂ２）号明細書
【特許文献４】米国特許第６，９５０，０８９（Ｂ１）号明細書
【特許文献５】米国特許第７，３９１，４１０（Ｂ２）号明細書
【特許文献６】米国特許第７，９２４，１４５（Ｂ２）号明細書
【特許文献７】米国特許第８，１３８，８６９（Ｂ１）号明細書
【特許文献８】米国特許第８，１４３，９８２（Ｂ１）号明細書
【特許文献９】米国特許第８，１４３，９８３（Ｂ１）号明細書
【特許文献１０】米国特許第８，１９９，１１４（Ｂ１）号明細書
【特許文献１１】米国特許第８，２４２，８６８（Ｂ２）号明細書
【特許文献１２】米国特許第８，３１０，３５１（Ｂ２）号明細書
【特許文献１３】米国特許第８，３３０，７１３（Ｂ２）号明細書
【特許文献１４】米国特許出願公開第２００６／０００７１７９（Ａ１）号明細書
【特許文献１５】米国特許出願公開第２００６／０２５６０９０（Ａ１）号明細書
【特許文献１６】米国特許出願公開第２０１０／００７９４０３（Ａ１）号明細書
【特許文献１７】米国特許出願公開第２０１１／０１９９３２５（Ａ１）号明細書
【特許文献１８】米国特許出願公開第２０１１／０２４８９４７（Ａ１）号明細書
【特許文献１９】米国特許出願公開第２０１２／０１６９５９７（Ａ１）号明細書
【特許文献２０】米国特許出願公開第２０１３／０００２５７１（Ａ１）号明細書
【特許文献２１】独国特許第１０２００９００６１５３号明細書
【特許文献２２】韓国特許第１０−２０１２−００９９９０２号明細書
【特許文献２３】国際公開第２０１２／００５４６３（Ａ２）号
【特許文献２４】国際公開第２０１２／０９４１９８（Ａ１）号
【特許文献２５】国際公開第２０１２／１３９２０３（Ａ１）号
【発明の概要】
【発明が解決しようとする課題】
【０００８】
タッチスクリーンを使用するスマートフォン、タブレット、及び、他の電子装置の普及から見て、及び、ジョイスティック、スライダ、ノブ、十字キー（ｄｉｒｅｃｔｉｏｎａｌ  ｐａｄ）等のような外部入力装置のルックアンドフィールを提供するために、タッチスクリーン上で使用される時に、実際の物理的アクチュエータのリアルなルックアンドフィールをユーザに提供する機械式アクチュエータ装置が当業で必要とされている。
【課題を解決するための手段】
【０００９】
本開示が、本発明の様々な側面に関する。
【００１０】
本発明の一側面が、電子装置のタッチセンシング表面のための機械式アクチュエータ装置を提供することである。
【００１１】
本発明の別の側面が、電子装置のタッチセンシング表面のためのジョイスティック装置を提供することである。
【００１２】
本発明の別の側面が、ジョイスティックのような外部アクチュエータが電子装置のタッチセンシング表面上に直接的に取り付けられ且つタッチセンシング表面に連結することを可能にする、機械式アクチュエータ又はジョイスティック装置を提供することである。この装置は、必要に応じて、アクチュエータ又はジョイスティックの迅速で容易な置き換えを可能にする。
【００１３】
本発明の別の側面が、ジョイスティックのような外部アクチュエータが電子装置のタッチセンシング表面上に直接的に装着され且つタッチセンシング表面に連結することを可能にする、機械式アクチュエータ又はジョイスティック装置を提供することである。この装置は、アクチュエータ又はジョイスティックの迅速で容易な連結と分離とを可能にし、タッチセンシング表面上の任意の場所にアクチュエータ又はジョイスティックを位置決めすることを可能にする。
【００１４】
本発明の別の側面が、第１の磁気部材を収容するための基部を含む機械式アクチュエータと、第１の磁気部材に連結するための第２の磁気部材を含む取付部材とを備え、この取付部材は、タッチセンシング表面上に直接的に取り付けられ且つタッチセンシング表面に連結するように構成されている表面を含む、タッチセンシング表面を有する電子装置のための機械式アクチュエータ装置を提供することである。この機械式アクチュエータは、さらに、タッチセンシング表面に接触するための導電性部材と、アクチュエータをタッチセンシング表面から所定の距離間隔に保つための非導電性部材とを含む。
【００１５】
本発明の別の側面が、ハンドル部分と、直立スリーブを有し協働する基部部分とを含むジョイスティックを備える、タッチセンシング表面を有する電子装置のためのジョイスティック装置を提供することである。このハンドル部分は、第１の磁気部材をその間に固定するようにスリーブに作動的に連結するためのスカート部分を含む。取付部材は、第１の磁気部材に連結するための第２の磁気部材と、タッチセンシング表面上に直接的に取り付けられ且つタッチセンシング表面に連結するように構成されている表面とを含む。基部部分は、タッチセンシング表面に接触するための導電性部材を含む。
【００１６】
本発明の別の側面が、タッチセンシング表面を有する電子装置のための機械式アクチュエータ装置を提供することであり、この機械式アクチュエータ装置は、磁気部材を収容するための基部を含む機械式アクチュエータと、第１の磁気部材に連結するための磁気メッシュを含む取付部材であって、タッチセンシング表面上に直接的に取り付けられており且つタッチセンシング表面に連結するように構成されている表面を含む取付部材とを備える。この機械式アクチュエータは、さらに、タッチセンシング表面に接触するための導電性部材と、アクチュエータをタッチセンシング表面から所定の距離間隔に保つための非導電性部材とを含む。
【００１７】
本発明の別の側面が、機械式アクチュエータ装置をタッチセンシング表面に取り付ける方法を提供することであり、この方法は、ａ）第１の磁気部材を有する機械式アクチュエータと、第１の磁気部材に連結するために第２の磁気部材を含む取付部材であって、タッチセンシング表面上に直接的に装着され且つタッチセンシング表面に連結するように構成されている表面を含む取付部材と、タッチセンシング表面に接触するための導電性部材と、アクチュエータをタッチセンシング表面から所定の距離間隔に保つための非導電性部材とを含む、機械式アクチュエータ装置を提供することと、ｂ）取付部材をタッチセンシング表面上に動かないように且つ連結状態に取り付けることと、ｃ）第１の磁気部材が第２の磁気部材に連結するように機械式アクチュエータを操作することとを含む。
【００１８】
要約して述べると、本発明は、タブレット、携帯電話、ファブレット（ｆａｂｌｅｔ）、ファブレット（ｐｈａｂｌｅｔ）等のような電子装置のタッチスクリーンと共に容易に使用されることが可能であり、且つ、ジョイスティックのような外部入力装置のリアルなルックアンドフィールをユーザに提供する、機械式アクチュエータ装置を提供する。このアクチュエータ装置は、さらに、必要に応じて、外部入力装置の相互間の容易な切換という柔軟性を提供する。
【００１９】
本発明の上記の側面及び他の側面と新規性のある特徴と利点の１つとが、図面に示されている、本発明の１つ又は複数の好ましい実施形態の以下の詳細な説明から明らかになるだろう。
【図面の簡単な説明】
【００２０】
【図１】タブレットと組み合わせた使用状態の形で示されている、本発明の機械式アクチュエータ装置の好ましい実施形態の斜視図である。
【図２】図１の線２−２に沿った拡大断面図である。
【図３】図１に示されている機械式アクチュエータの部分分解組立図である。
【図４】本発明の機械式アクチュエータ装置の別の好ましい実施形態を示す、図３に類似した図である。
【図５】機械式アクチュエータ（ジョイスティック）無しで示されている、図２に類似した拡大図である。
【図６】図４の別の実施形態を示す、図５に類似した図である。
【発明を実施するための形態】
【００２１】
図１から図３に最も適切に示されているように、本発明の好ましい実施形態による機械式アクチュエータ装置ＭＡは、ジョイスティック１０と取付部材１２とを含み、このジョイスティック１０と取付部材１２の両方が、より詳細に後述するように、互いに作動的に連結した形で機能するように構成されており且つ作られている。
【００２２】
取付部材１２は、頂部透明フィルム１４と底部透明フィルム１６とを含み、及び、これらのフィルムは、適切なサイズ及び形状の磁気部材１８を、変更されることが可能である好ましい位置において、互いの間に挟持する。特にフィルム１４、１６は、一時的な接着剤（図示されていない）によって、又は、静電荷によって、互いに一体的に保持されることが好ましい。このようにして、フィルム１４とフィルム１６は、磁気部材１８を異なる場所に移動させるために互いに分離させられることが可能であり、及び、タブレットＴのような電子装置上での使用のために再び互いに一体的に固定されることが可能である。フィルム１４、１６が、約０．２ｍｍから約２ｍｍの範囲内の厚さを有する可撓性であり且つ耐久力があるポリエチレン又は類似の材料で作られていることが好ましい。
【００２３】
図５に最も適切に示されているように、底部フィルム１６が、タブレットＴのタッチスクリーンＴＳ上に固定されるように、一時的又は恒久的な接着剤層２０をそのフィルムの下側に含むことが好ましい。あるいは、代替案として、取付部材１２が、静電力、静磁場力、又は、電磁電荷又は吸引力、又は、これらの組合せを使用することによって、タッチスクリーンＴＳ上に取り付けられることが可能である。
【００２４】
図３に最も適切に示されているように、取付部材１２のサイズは、タッチスクリーンＴＳの境界部分ＴＳＢの内側限界にわずかに達しない形でタッチスクリーンＴＳ上にぴったりと嵌合するように、タッチスクリーンＴＳのサイズに好適に対応するように選択される。しかし、タッチスクリーンＴＳのサイズよりも小さいか又は大きいように取付部材１２の全体的サイズを変更することが、本発明の範囲内に含まれているということに留意されたい。この点で、取付部材１２が、より大きい場合には、単純にタッチスクリーンＴＳを越えて延びて、タッチスクリーン境界区域ＴＳＢを部分的又は全体的に覆うだろう。
【００２５】
次に、図２を参照しながら、ジョイスティック１０の好ましい構造的な詳細部分を説明する。示されているように、ジョイスティック１０は、上部ハンドル部分２２と、これと協働する下部の基部部分２４とを含む。ハンドル部分２２は、基部部分２４の直立スリーブ２８に連結するスカート２６を含む。このスカート２６とスリーブ２８は、一体となって、適切なサイズ及び形状の磁気部材３２を収容するための凹みを、スカート２６とスリーブ２８の間に形成する。これに関連して、スカート２６とスリーブ２８との相互嵌合構造及び構成が、必要に応じて、変更させられるか又は逆にされることがあるということに留意されたい。例えば、代替案の構成では、スカート２６が、図２に示されているようにスリーブ２８の上をスライドする代わりに、スリーブ２８の内側に嵌合するだろう。
【００２６】
ジョイスティック１０は、さらに、好ましくは基部部分２４上に中心に配置されている非導電性パッド３４又は同様の部材を含む。この非導電性部材３４の厚さは、ユーザが使用中にジョイスティック１０を操作又はロックすることを可能にするように、タッチスクリーン表面ＴＳＳからの好ましい距離（０．５ｍｍから３ｍｍ）に基部部分２４の底部表面２５を維持するように選択される。この点で、導電性パッド３６又はその類似物の連続した（又は分割された）ストリップが、基部部分２４の底部表面２５上に周縁部に沿って備えられる。あるいは、代替策としては、導電性パッド３６は底部表面２５全体上に覆うことがある。この導電性パッド３６は、導電性の金属又は充填材が添加されている、シリコーン樹脂、塩化ビニル樹脂、シロキサン樹脂、及び／又は、ポリオレフィン樹脂を含む材料で作られていることが好ましい。ジョイスティック１０の高さが３０−６０ｍｍであることが好ましい。当業者は、ジョイスティック１０を操作することによって、必要に応じて、ユーザＵがタッチセンシング表面ＴＳＳに簡単に接触することが可能であるということを容易に理解するだろう（図１及び図２）。
【００２７】
上述の説明から、及び、図１−３と図５とに示されているように、タッチスクリーンＴＳのタッチセンシング表面ＴＳＳ上に取付部材１２を装着して、磁気部材１８上でジョイスティック１０を操作することによって、ジョイスティック１０が、磁気部材１８、３２の間の磁力のせいでタッチセンシング表面上に保持されることが可能であるということが容易に理解されるだろう。この点に関して、これと共に、本明細書で使用されている用語「磁気部材」が、永久磁石又は電磁石と、磁石に引き寄せられるか又は磁石によって引き寄せられる部材とを非限定的に含むということに、留意されたい。さらに、ユーザがタッチセンシング表面ＴＳＳ上でのジョイスティック１０の場所を変化させるか又は移動させることを望む場合には、ユーザは、フィルム１４とフィルム１６を簡単に剥がして分離させて、磁気部材１８を別の所望の場所に移動させ、及び、フィルム１４とフィルム１６を簡単に再び一体状に貼り合わせることが可能であるということに、留意されたい。取付部材１２がタッチスクリーンＴＳよりも小さい場合には、取付部材１２全体が所望の場所に簡単に移動させられることが可能である。
【００２８】
図４と図６は、本発明の機械式アクチュエータ装置ＭＡＡの別の好ましい実施形態を示し、この実施形態は、頂部フィルム１４と底部フィルム１６とにサイズが一致することが好ましい、適切な厚さと設計の磁気メッシュ３８によって、磁気部材１８が置き換えられているということを除いて、上述した実施形態に類似している。（これに関連して、この２つの実施形態の同一又は類似の構成要素が同一の照合番号で示されているということに留意されたい）。
【００２９】
図示されてはいないが、磁気メッシュ３８は、好ましくは、一時的又は恒久的な接着剤、又は、静電力、静磁場力、電磁力等のような他の手段を使用することによって、頂部フィルム１４と底部フィルム１６との間に固定されている。この磁気メッシュ３８のサイズは、第１の実施形態に関して上述したように、頂部フィルム１４と底部フィルム１６のサイズに対応するように変化させられることが可能である。
【００３０】
ジョイスティック１０をタッチセンシング表面ＴＳＳ上に取り付け終わると、ユーザは、磁気部材３２と磁気メッシュ３８との間の磁力を使用して、簡単にジョイスティック１０を１つの場所から取り外して別の場所に再配置することによって、ジョイスティック１０をタッチスクリーンＴＳ上の任意の場所に配置することが可能なので、頂部フィルム１４と底部フィルム１６との間に磁気メッシュ３８を備えることの利点が容易に理解されるだろう。
【００３１】
これに関連して、本発明がタブレットに関連して説明され図示されているが、本発明が、テレビ、ビデオゲームモニタ、ビデオゲームコンソール、ゲーム装置、デスクトップコンピュータ、ラップトップコンピュータ、パーソナルデジタルアシスタント（ＰＤＡ）、ファブレット（ｆａｂｌｅｔ）、ファブレット（ｐｈａｂｌｅｔ）、携帯電話、移動電話、スマートフォン、又はこれらの組合せを非限定的に含む、任意の電子装置と共に使用されることが可能であるということに留意されたい。
【００３２】
本発明を、好ましい順序、範囲、段階、段階の順番、材料、構造、シンボル、証印（ｉｎｄｉｃｉａ）、グラフィック、色、図式、形状、構成、特徴、構成要素、又は、設計を有するものとして説明してきたが、本発明の原理に概して従っており、及び、本発明が関与する技術分野における既知の又は慣習的な慣行に含まれるような本開示からの逸脱と、本明細書において上述された中心的な特徴に対して適用され、及び、本発明の範囲内と、本明細書に添付されているか又は後述される特許請求項の限定の範囲内とに含まれることがある本発明からの逸脱とを含む、本発明のさらなる変更、使用、及び／又は、適用が可能であるということを理解されたい。したがって、本発明は、本明細書に示され且つ説明されている１つ又は複数の実施形態に限定されない。
【００３３】
（参考資料）
下記の参照と、本明細書の開示に引用されているすべてが、その全体において本明細書に参考資料として援用されている。
１．「Ｔｏｕｃｈｓｃｒｅｅｎ」、ウィキペディア、フリー百科事典、ｈｔｔｐ：／／ｅｎ．ｗｉｋｉｐｅｄｉａ．ｏｒｇ／ｗｉｋｉ／Ｔｏｕｃｈｓｃｒｅｅｎ。２０１３年２月２１日付のアクセス、９ｐｐ。
【図１】
2016509323.tif 000003
【図２】
2016509323.tif 000004
【図３】
2016509323.tif 000005
【図４】
2016509323.tif 000006
【図５】
2016509323.tif 000007
【図６】
2016509323.tif 000008
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
タッチセンシング表面を有する電子装置のための機械式アクチュエータ装置であって、
ａ）第１の磁気部材を収容するための基部を含む機械式アクチュエータと、
ｂ）前記第１の磁気部材に連結するための第２の磁気部材を含む可撓性の取付部材と、
を備え、
ｃ）前記取付部材は、前記タッチセンシング表面上に直接的に取り付けられ且つ前記タッチセンシング表面に連結するように構成されている表面を含み、
ｄ）前記機械式アクチュエータは、前記タッチセンシング表面に接触するための導電性部材を含み、
ｅ）前記機械式アクチュエータは、前記タッチセンシング表面から所定の距離間隔に前記アクチュエータを保ち且つ前記タッチセンシング表面に接触するための非導電性部材を含む、
機械式アクチュエータ装置。
【請求項２】
ａ）前記第２の磁気部材は前記取付部材に対して動かないように配置されている、
請求項１に記載のアクチュエータ装置。
【請求項３】
ａ）前記取付部材はフィルムを備えており、前記フィルムは、前記フィルム内に埋め込まれている上記第２の磁気部材を有する、
請求項１に記載のアクチュエータ装置。
【請求項４】
ａ）前記取付部材は、前記第２の磁気部材を互いの間に挟持する２つのフィルムを備える、
請求項１に記載のアクチュエータ装置。
【請求項５】
ａ）前記取付部材は前記タッチセンシング表面上に動かないように取り付けられている、
請求項２に記載のアクチュエータ装置。
【請求項６】
ａ）前記取付部材の表面が、一時的な又は恒久的な接着剤を含む、
請求項５に記載のアクチュエータ装置。
【請求項７】
ａ）前記取付部材は、前記タッチセンシング表面に対してサイズが概ね一致する透明プラスチックフィルムで作られている、
請求項６に記載のアクチュエータ装置。
【請求項８】
ａ）前記機械式アクチュエータはジョイスティックを備える、
請求項７に記載のアクチュエータ装置。
【請求項９】
ａ）前記取付部材はフィルムを備えており、前記フィルムは、前記フィルムに取り付けられている前記第２の磁気部材を有する、
請求項１に記載のアクチュエータ装置。
【請求項１０】
ａ）前記第２の磁気部材は磁気メッシュを備える、
請求項９に記載のアクチュエータ装置。
【請求項１１】
ａ）前記第２の磁気部材は磁気メッシュを備える、
請求項４に記載のアクチュエータ装置。
【請求項１２】
タッチセンシング表面を有する電子装置のためのジョイスティック装置であって、
ａ）ハンドル部分と、協働する基部部分とを含む、ジョイスティック、
を備え、
ｂ）前記基部部分は直立スリーブを含み、
ｃ）前記ハンドル部分はスカート部分を含み、前記スカート部分は、第１の磁気部材を前記スカート部分間に固定するように前記スリーブに連結するためのものであり、
前記ジョイスティック装置はさらに、
ｄ）前記第１の磁気部材に連結するための第２の磁気部材を含む取付部材、
を備え、
ｅ）前記取付部材は、前記タッチセンシング表面上に直接的に取り付けられ且つ前記タッチセンシング表面に連結するように構成されている表面を含み、
ｆ）前記基部部分は、前記タッチセンシング表面に接触するための導電性部材を含む、
ジョイスティック装置。
【請求項１３】
ａ）前記第２の磁気部材は前記取付部材に対して動かないように配置されている、
請求項１２に記載のジョイスティック装置。
【請求項１４】
ａ）前記取付部材はフィルムを備えており、前記フィルムは、前記フィルム内に埋め込まれた前記第２の磁気部材を有する、
請求項１２に記載のジョイスティック装置。
【請求項１５】
ａ）前記取付部材は、前記第２の磁気部材を互いの間に挟持する２つのフィルムを備える、
請求項１２に記載のジョイスティック装置。
【請求項１６】
ａ）前記取付部材は前記タッチセンシング表面上に動かないように取り付けられている、
請求項１３に記載のジョイスティック装置。
【請求項１７】
ａ）前記取付部材の表面は、静電特性、静磁気特性又は電磁気特性を含む、
請求項１６に記載のジョイスティック装置。
【請求項１８】
ａ）前記取付部材の表面は、一時的又は恒久的な接着剤を含む、
請求項１６に記載のジョイスティック装置。
【請求項１９】
ａ）前記直立スリーブは、前記第１の磁気部材を保持するための凹みをその中に形成する、
請求項１２に記載のジョイスティック装置。
【請求項２０】
ａ）前記スカート部分は、前記第１の磁気部材を保持するための凹みをその中に形成する、
請求項１２に記載のジョイスティック装置。
【請求項２１】
ａ）前記取付部材はフィルムを備えており、前記フィルムは、前記フィルムに取り付けられている前記第２の磁気部材を有する、
請求項１２に記載のジョイスティック装置。
【請求項２２】
ａ）前記第２の磁気部材は磁気メッシュを備える、
請求項２１に記載のジョイスティック装置。
【請求項２３】
ａ）前記第２の磁気部材は磁気メッシュを備える、
請求項１５に記載のジョイスティック装置。
【請求項２４】
タッチセンシング表面を有する電子装置のための機械式アクチュエータ装置であって、
ａ）磁気部材を収容するための基部を含む機械式アクチュエータと、
ｂ）前記磁気部材に連結するための磁気メッシュを含む可撓性の取付部材と、
を備え、
ｃ）前記取付部材は、前記タッチセンシング表面上に直接的に取り付けられ且つ前記タッチセンシング表面に連結するように構成されている表面を含み、
ｄ）前記機械式アクチュエータは、前記タッチセンシング表面に接触するための導電性部材を含み、
ｅ）前記機械式アクチュエータは、前記タッチセンシング表面から所定の距離間隔に前記アクチュエータを保ち且つ前記タッチセンシング表面に接触するための非導電性部材を含む、
機械式アクチュエータ装置。
【請求項２５】
ａ）前記取付部材はフィルムを備えており、前記フィルムは、前記フィルムに取り付けられている前記第２の磁気部材を有する、
請求項２４に記載のアクチュエータ装置。
【請求項２６】
ａ）前記取付部材は、前記磁気メッシュを互いの間に挟持する２つのフィルムを備える、
請求項２４に記載のアクチュエータ装置。
【請求項２７】
ａ）前記取付部材の表面は、一時的又は恒久的な接着剤を含む、
請求項２４に記載のアクチュエータ装置。
【請求項２８】
ａ）前記フィルムのサイズは前記タッチセンシング表面のサイズに実質的に一致する、
請求項２５に記載のアクチュエータ装置。
【請求項２９】
ａ）前記磁気メッシュのサイズは前記フィルムのサイズに一致する、
請求項２８に記載のアクチュエータ装置。
【請求項３０】
ａ）前記機械式アクチュエータはジョイスティックを備える、
請求項２８に記載のアクチュエータ装置。
【請求項３１】
機械式アクチュエータ装置をタッチセンシング表面に取り付ける方法であって、
ａ）機械式アクチュエータ装置であって、
ｉ）第１の磁気部材を含む機械式アクチュエータと、
ｉｉ）前記第１の磁気部材に連結するための第２の磁気部材を含む可撓性の取付部材と、
を備え、
ｉｉｉ）前記取付部材は、前記タッチセンシング表面上に直接的に取り付けられ且つ前記タッチセンシング表面に連結するように構成されている表面を含み、
ｉｖ）前記機械式アクチュエータは、前記タッチセンシング表面に接触するための導電性部材を含み、
ｖ）前記機械式アクチュエータは、前記タッチセンシング表面から所定の距離間隔に前記アクチュエータを保ち且つ前記タッチセンシング表面に接触するための非導電性部材を含む、
機械式アクチュエータ装置を提供する段階と、
ｂ）前記タッチセンシング表面上に動かないように且つ連結した形で前記取付部材を取り付ける段階と、
ｃ）前記第１の磁気部材を前記第２の磁気部材に連結するように前記機械式アクチュエータを操作する段階と、
を含む、
方法。
【請求項３２】
前記機械式アクチュエータはジョイスティックアクチュエータを備える、
請求項３１に記載の方法。
【請求項３３】
前記ジョイスティックアクチュエータは、
ｉ）ハンドル部分と、協働する基部部分とを含むジョイスティック、
を備え、
ｉｉ）前記基部部分は直立スリーブを含み、
ｉｉｉ）前記ハンドル部分は、前記第１の磁気部材を間に固定するように前記スリーブに連結するためのスカート部分を含み、
ｉｖ）前記基部部分は前記タッチセンシング表面に接触するための導電性部材を含む、
請求項３２に記載の方法。
【請求項３４】
前記基部部分は、前記第１の磁気部材を保持するための凹みをその中に形成する、
請求項３３に記載の方法。
【請求項３５】
前記スカート部分は、前記第１の磁気部材を保持するための凹みをその中に形成する、
請求項３３に記載の方法。
【請求項３６】
前記第２の磁気部材は磁気メッシュを備える、
請求項３１に記載の方法。
【請求項３７】
ａ）前記電子装置は、テレビ、ビデオゲームモニタ、ビデオゲームコンソール、ゲーム装置、デスクトップコンピュータ、ラップトップコンピュータ、タブレット、パーソナルデジタルアシスタント（ＰＤＡ）、ファブレット（ｆａｂｌｅｔ）、ファブレット（ｐｈａｂｌｅｔ）、携帯電話、移動電話、スマートフォン、又はこれらの組合せを含む、
請求項１に記載のアクチュエータ装置。
【請求項３８】
ａ）前記電子装置は、テレビ、ビデオゲームモニタ、ビデオゲームコンソール、ゲーム装置、デスクトップコンピュータ、ラップトップコンピュータ、タブレット、パーソナルデジタルアシスタント（ＰＤＡ）、ファブレット（ｆａｂｌｅｔ）、ファブレット（ｐｈａｂｌｅｔ）、携帯電話、移動電話、スマートフォン、又はこれらの組合せを含む、
請求項１２に記載のアクチュエータ装置。
【請求項３９】
機械式アクチュエータ装置をタッチセンシング表面に取り付ける方法であって、
ａ）機械式アクチュエータ装置を提供する段階であって、
前記機械式アクチュエータ装置は、
ｉ）第１の磁気部材を含むジョイスティックアクチュエータであって、
−  ハンドル部分と、協働する基部部分とを含むジョイスティックを備え、
−  前記基部部分は直立スリーブを含み、
−  前記ハンドル部分は、前記第１の磁気部材を間に固定するように前記スリーブに連結するためのスカート部分を含み、
−  前記基部部分は前記タッチセンシング表面に接触するための導電性部材を含む、
ジョイスティックアクチュエータと、
ｉｉ）前記第１の磁気部材に連結するための第２の磁気部材を含む取付部材と、
を備え、
ｉｉｉ）前記取付部材は、前記タッチセンシング表面上に直接的に取り付けられ且つ前記タッチセンシング表面に連結するように構成されている表面を含み、
ｉｖ）前記機械式アクチュエータは、前記タッチセンシング表面に接触するための導電性部材を含み、
ｖ）前記機械式アクチュエータは、前記タッチセンシング表面から所定の距離間隔に前記アクチュエータを保つための非導電性部材を含む、
機械式アクチュエータ装置を提供する段階と、
ｂ）前記タッチセンシング表面上に動かないように且つ連結した形で前記取付部材を取り付ける段階と、
ｃ）前記第１の磁気部材を前記第２の磁気部材に連結するように前記機械式アクチュエータを操作する段階と、
を含む、
方法。
【請求項４０】
前記基部部分は、前記第１の磁気部材を保持するための凹みをその中に形成する、
請求項３９に記載の方法。
【請求項４１】
前記スカート部分は、前記第１の磁気部材を保持するための凹みをその中に形成する、
請求項３９に記載の方法。
【国際調査報告】
2016509323.tif 000009
2016509323.tif 000010
2016509323.tif 000011